【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
式（１）、（２）、または（３）で表される化合物。
2008303260.tif 000001
2008303260.tif 000002
2008303260.tif 000003
（式中、Ｒ１は水素、またはメチルであり、Ｒ２は炭素数２〜２０のアルキレンであり、Ｒ3はメチレンであり、Ｒ4およびＲ5は独立して、炭素数１〜２０のアルキル、フェニル、任意の水素が炭素数１〜５のアルキルで置き換えられたフェニル、または任意の水素がフェニルで置き換えられたフェニルであり、Ｒ4とＲ5が一体となって環状基を形成してもよく、ｍは１〜３０の整数であり、ｎ、ｐおよびｑは独立して、０または１である。）
【請求項２】
式（４）、（５）、または（６）で表される化合物。
2008303260.tif 000004
2008303260.tif 000005
2008303260.tif 000006
（式中、Ｒ１は水素、またはメチルであり、Ｒ２は炭素数２〜２０のアルキレンであり、Ｒ3はメチレンであり、ｍは１〜３０の整数であり、ｎは０または１である。）
【請求項３】
請求項１または２に記載の化合物から選ばれる難燃剤（Ａ）を２０〜１００重量％含有するラジカル重合性モノマーの混合物を重合して得られる難燃性重合体（Ｆ）。
【請求項４】
請求項１または２に記載の化合物から選ばれる難燃剤（Ａ）および請求項３に記載の難燃性重合体（Ｆ）から選ばれる１つ以上と、オキシランまたはオキセタンを２つ以上有する化合物（Ｂ）を含有する熱硬化性組成物
【請求項５】
インクジェット用インクである、請求項４に記載の熱硬化性組成物。
【請求項６】
スクリーン印刷用インクである、請求項４に記載の熱硬化性組成物。
【請求項７】
請求項１または２に記載の化合物から選ばれる難燃剤（Ａ）および請求項３に記載の難燃性重合体（Ｆ）から選ばれる１つ以上と、（メタ）アクリレート（Ｃ）、光重合開始剤（Ｄ）を含有する光硬化性組成物。
【請求項８】
インクジェット用インクである、請求項７に記載の光硬化性組成物。
【請求項９】
スクリーン印刷用インクである、請求項７に記載の光硬化性組成物。
【請求項１０】
オキシランまたはオキセタンを２つ以上有する化合物（Ｂ）が式（７）、（８）、（９）、または（１０）である、請求項４〜６のいずれか一項に記載の熱硬化性組成物。
2008303260.tif 000007
（式（７）中、ｎは０〜１０の整数である。）
【請求項１１】
（メタ）アクリレート（Ｃ）が式（１１）、（１２）、（１３）および（１４）から選ばれる１つ以上である、請求項７〜９のいずれか一項に記載の光硬化性組成物。
2008303260.tif 000008
（式（１１）中、ａ、ｂ、ｃはそれぞれ独立に０〜１０の整数であり、Ｒ６のうちｒ個は式（１１−１）で表される基であり、ｓ個は式（１１−２）で表される基であり、ｒは０〜２の整数であり、ｓは１〜３の整数であり、ｒ＋ｓは３であり、Ｒ1は水素またはメチルである）
2008303260.tif 000009
（式（１２）中、ａ、ｂ、ｃはそれぞれ独立に０〜１０の整数であり、Ｒ７のうちｒ個は式（１２−１）で表される基であり、ｓ個は式（１２−２）で表される基であり、ｒは０〜２の整数であり、ｓは１〜３の整数であり、ｒ＋ｓは３であり、Ｒ1は水素またはメチルである）
2008303260.tif 000010
（式（１３）中、ａ、ｂ、ｃ、ｄはそれぞれ独立に０〜１０の整数であり、Ｒ８のうちｒ個は式（１３−１）で表される基であり、ｓ個は式（１３−２）で表される基であり、ｒは０〜３の整数であり、ｓは１〜４の整数であり、ｒ＋ｓは４であり、Ｒ1は水素またはメチルである）
2008303260.tif 000011
（式（１４）中、ａ、ｂ、ｃ、ｄ、ｅ、ｆはそれぞれ独立に０〜１０の整数であり、Ｒ９のうちｒ個は式（１４−１）で表される基であり、ｓ個は式（１４−２）で表される基であり、ｒは０〜５の整数であり、ｓは１〜６の整数であり、ｒ＋ｓは６であり、Ｒ1は水素またはメチルである）
【請求項１２】
さらに（メタ）アクリレート（Ｃ）を含有する、請求項４〜６、１０のいずれか一項に記載の熱硬化性組成物。
【請求項１３】
（メタ）アクリレート（Ｃ）が式（１５）の化合物である、請求項７〜９のいずれか一項に記載の光硬化性組成物。
2008303260.tif 000012
（式（１５）中、Ｒ6は環状構造を有してよい炭素数２〜１２のアルキレンであり、Ｒ1は水素またはメチルであり、ｔは１〜３０の整数である。）
【請求項１４】
（メタ）アクリレート（Ｃ）が式（１５）の化合物である、請求項１２に記載の熱硬化性組成物。
2008303260.tif 000013
（式（１５）中、Ｒ6は環状構造を有してよい炭素数２〜１２のアルキレンであり、Ｒ1は水素またはメチルであり、ｔは１〜３０の整数である。）
【請求項１５】
（メタ）アクリレート（Ｃ）が式（１１）〜（１４）から選ばれる１つ以上と式（１５）の化合物の混合物である、請求項７〜９のいずれか一項に記載の光硬化性組成物。
【請求項１６】
（メタ）アクリレート（Ｃ）が式（１１）〜（１４）から選ばれる１つ以上と式（１５）の化合物の混合物である、請求項１２に記載の熱硬化性組成物。
【請求項１７】
式（１５）の化合物が、２−ヒドロキシエチル（メタ）アクリレート、２−ヒドロキシプロピル（メタ）アクリレート、４−ヒドロキシブチル（メタ）アクリレート、および１，４−シクロヘキサンジメタノールモノ（メタ）アクリレートからなる群から選ばれる１以上である、請求項１３または１５に記載の光硬化性組成物。
【請求項１８】
式（１５）の化合物が、２−ヒドロキシエチル（メタ）アクリレート、２−ヒドロキシプロピル（メタ）アクリレート、４−ヒドロキシブチル（メタ）アクリレート、および１，４−シクロヘキサンジメタノールモノ（メタ）アクリレートからなる群から選ばれる１以上である、請求項１４または１６に記載の熱硬化性組成物。
【請求項１９】
光重合開始剤（Ｄ）がビス（２，４，６−トリメチルベンゾイル）フェニルフォスフィンオキサイド、または２，４，６−トリメチルベンゾイルジフェニルフォスフィンオキサイドである、請求項７〜９、１１、１３、１５、１７のいずれか一項に記載の光硬化性組成物。
【請求項２０】
難燃剤（Ａ）が式（４）におけるＲ２が炭素数２〜４のアルキレンである化合物と、式（５）におけるＲ２が炭素数２〜４のアルキレンである化合物の混合物であり、（メタ）アクリレート（Ｃ）が式（１４）の化合物と式（１５）の化合物の混合物である、請求項１９に記載の光硬化性組成物。
【請求項２１】
式（１５）の化合物が、４−ヒドロキシブチルアクリレートである、請求項１９または２０に記載の光硬化性組成物。
【請求項２２】
常圧における沸点が３００℃以下の溶媒を含有しない、または常圧における沸点が３００℃以下の溶媒の組成物全体に占める割合が１０重量％以下である、請求項７〜９、１１、１３、１５、１７、１９〜２１のいずれか一項に記載の光硬化性組成物。
【請求項２３】
常圧における沸点が３００℃以下の溶媒を２０〜７０重量％含有する、請求項４〜６、１０、１２、１４、１６、１８のいずれか一項に記載の熱硬化性組成物。
【請求項２４】
常圧における沸点が３００℃以下の溶媒がガンマブチロラクトンである請求項２３に記載の熱硬化性組成物。
【請求項２５】
請求項４〜６、１０、１２、１４、１６、１８、２３、２４のいずれか一項に記載の熱硬化性組成物または請求項７〜９、１１、１３、１５、１７、１９〜２２のいずれか一項に記載の光硬化性組成物を用いて、基板上に難燃性硬化膜が形成された電子回路基板。
【請求項２６】
請求項２５に記載された電子回路基板を有する電子部品。